(57)【要約】【課題】  長尺物を収納する際に邪魔にならず、更に、収納していることが一目で確認できる壁紙糊付機を得る。また、長尺物のうちクロス芯棒の摩耗を抑え、異音の発生も極力抑えた壁紙糊付機を得る。【解決手段】  直線棒状のクロスバーに保持される原反ロールから引き出されるシート状壁装材を所定の経路に案内するテンションバーと、シート状壁装材の両縁部を連続的に裁断するスリッターと、スリッターで両縁部が裁断された前記壁装材の裏面に連続的に糊を塗布する糊付機本体とを含む壁紙糊付機において、前記スリッターに前記クロスバー及びテンションバーを非使用時に保持するための保持機構を備えたもの。また、前記クロスバーを支持する軸受部に摺動耐摩耗性樹脂が表出されているもの。【選択図】      図１
2005066447.tif 000002
【特許請求の範囲】
【請求項１】
直線棒状のクロスバーに保持される原反ロールから引き出されるシート状壁装材を所定の経路に案内するテンションバーと、シート状壁装材の両縁部を連続的に裁断するスリッターと、スリッターで両縁部が裁断された前記壁装材の裏面に連続的に糊を塗布する糊付機本体とを含む壁紙糊付機において、
前記スリッターに前記クロスバー及びテンションバーを非使用時に保持するための保持機構を備えたことを特徴とする壁紙糊付機。
【請求項２】
前記保持機構が、スリッターの長手方向に沿って前記バーの両端部を嵌合掛止する嵌合溝機構をスリッターの後面に備えたことを特徴とする請求項１に記載の壁紙糊付機。
【請求項３】
直線棒状のクロスバーに保持される原反ロールから引き出されるシート状壁装材を所定の経路に案内するテンションバーと、シート状壁装材の両縁部を連続的に裁断するスリッターと、スリッターで両縁部が裁断された前記壁装材の裏面に連続的に糊を塗布する糊付機本体とを含む壁紙糊付機において、
前記クロスバーを支持する軸受部に摺動耐摩耗性樹脂が表出されていることを特徴とする壁紙糊付機。
【請求項４】
前記摺動耐摩耗性樹脂が、ポリエチレン樹脂、ポリプロピレン樹脂、ＡＢＳ樹脂、ナイロン樹脂、スチロール樹脂、ポリアセタール樹脂、フッ素樹脂、ポリアミド樹脂、ポリフェニレンサルファイド樹脂、ポリアリレート樹脂、ポリエチレンナフタレート樹脂から選ばれたことを特徴とする請求項３に記載された壁紙糊付機。
【発明の詳細な説明】
【技術分野】
【０００１】
本発明は、室内壁面等に貼付されるシート状壁装材の裏面に、連続的に糊を塗布する壁紙糊付機に関するものである。
【背景技術】
【０００２】
建物の内装仕上げとして、各種素材からなるシート状壁装材、所謂壁紙が壁面に貼付される。通常、この壁紙の施工は、現場にて壁紙の裏面に糊を塗布し、順次壁面に貼付される。従来から、壁紙への糊の塗布には、壁紙糊付機が用いられている。この壁紙糊付機は、本体内に複数のロールと糊桶を備え、本体後部から引き入れた壁装材を内部の各種ロールで前方へ送り出しながら、途中の糊付ロールに壁装材裏面を接触させることによって糊桶の糊を塗布するものである。
【０００３】
図４は従来の壁紙糊付機の全体構成を示す側面透視図である。図４に示す通り、本自動壁紙糊付機４１は、糊を収容する糊桶４４が設置される下部構体４２と、この下部構体４２に対して開閉可能に設置された上部構体４３と、下部構体４２を支持する脚部４３１とから主に構成される。
【０００４】
下部構体４２内には、シート状壁装材（以下、クロスと記す）Ｃを糊付機本体４１内に後面側から引き入れて糊付ロール４８へ送り出し取り込むための全幅の送り出しロール４６と、糊桶４４内の糊を糊付ロール４８に転写する糊上げロール４１３と、クロス裏面に糊を塗布する糊付ロール４８と、この糊付ロール４８に接して糊量を調節するドクターロール４７と、クロスＣに適度な張力を与えて前部方向へ送り出す均しロール４９とが互いにギアを介して連動可能にかつ所定間隔を持って平行に配列されるように糊桶４４の側板又はこれと平行な軸受板に軸支されている。
【０００５】
一方、上部構体４３内には、送り出しロール４６と対になってピンチロールを構成する上側ピンチロール４１０と、下部構体４２内に配列されているロールとギアを介して連動されクロスＣに糊付機本体前部方向への送り出し張力を付与するためのドライブロール４１２と、これら上側ピンチロール４１０とドライブロール４１２との間でクロスＣを上から押さえ込む押さえステー４１１とが、互いに所定間隔で平行に配列されるように、それぞれ上部構体４３の本体両側軸受フレームに軸支されている。
【０００６】
また、下部構体４２の両側縁部を支持する一対の脚部４３１には、クロス受けブラケット４４２の先端部に支持されたクロス芯棒４４１に中心軸を通された原反ロール４４０から繰り出されるクロスＣに当接して糊付機本体の引き込み口での引き込み荷重を与える第１のテンションバー４３２が橋架されている。そして、その上方には、同じくクロスＣに当接して引き込み口での引き込み荷重を与える第２のテンションバー４３３が橋架されている。また、クロス芯棒４４１はステンレス製であり、これを支持するクロス軸受けはアルミダイキャスト製である。
【０００７】
下部構体４２の後面側には、クロスの両側縁部を裁断するオーバーカッター（上刃）５２とアンダーカッター（下刃）５３とを備えたスリッター５１が着脱可能に取り付けられている。スリッター５１は下部構体４２の送り出しロール４６の後面側の後面側ステー５０にスリッター５１の固定フック５４を引っ掛け、面一となった下部構体の両軸受板の内側面とスリッター５１の軸受板の内側面とに設けられた止め金５５と掛け金（所謂、パチン錠）５６とによって固定される。
【０００８】
通常、脚部４３１は、現場への持ち運びの都合上、折り畳み構造になっている。このため、テンションバー４３２，４３３を予め脚部４３１に装着させることはできず、個別に持ち運ぶ必要があった。一方、クロス受けブラケット４４２も持ち運びの際は、脚部に収納されるためクロス芯棒４４１を個別に持ち運ぶ必要があった。これらの長尺物は、糊付作業上、必要な部材であるが、現場へ個別に持ち運ばなくてはならず、そのため現場への持ち運びを忘れたり、あるいは現場からの持ち帰りを忘れたり，場合によっては現場にて紛失する場合があった。このため、本体部の上部を覆う蓋部を本体部に装着した状態で枠組と蓋部とによって形成される空間内に長尺物を保持する構造が提案されている（例えば、特許文献１参照）。
【０００９】
【特許文献１】特許第３０９４３６０号
【発明の開示】
【発明が解決しようとする課題】
【００１０】
しかしながら、テンションバーやクロス芯棒等の長尺物が表に出ていないと片付けの際に収納をしたことを確認する必要があり面倒となる。また、クロス芯棒はステンレス製であり、これを支持するクロス軸受けはアルミダイキャスト製であるため、金属間で摺動すると磨耗が早く、場合によっては異音が発生したり、あるいはクロス芯棒の回動に抵抗がかかり、結果的にクロスの引き出しがスムーズに行えない場合があった。
【００１１】
本発明は、長尺物を収納する際に邪魔にならず、更に、収納していることが一目で確認できる壁紙糊付機を得ることを目的とする。また、長尺物のうちクロス芯棒の摩耗を抑え、異音の発生も極力抑えた壁紙糊付機を得ることを目的とする。
【課題を解決するための手段】
【００１２】
請求項１に記載された発明に係る壁紙糊付機は直線棒状のクロスバーに保持される原反ロールから引き出されるシート状壁装材を所定の経路に案内するテンションバーと、シート状壁装材の両縁部を連続的に裁断するスリッターと、スリッターで両縁部が裁断された前記壁装材の裏面に連続的に糊を塗布する糊付機本体とを含む壁紙糊付機において、
前記スリッターに前記クロスバー及びテンションバーを非使用時に保持するための保持機構を備えたことを特徴とするものである。
【００１３】
請求項２に記載された発明に係る壁紙糊付機は、請求項１に記載の保持機構が、スリッターの長手方向に沿って前記バーの両端部を嵌合掛止する嵌合溝機構をスリッターの後面に備えたことを特徴とするものである。
【００１４】
請求項３に記載された発明に係る壁紙糊付機は、直線棒状のクロスバーに保持される原反ロールから引き出されるシート状壁装材を所定の経路に案内するテンションバーと、シート状壁装材の両縁部を連続的に裁断するスリッターと、スリッターで両縁部が裁断された前記壁装材の裏面に連続的に糊を塗布する糊付機本体とを含む壁紙糊付機において、
前記クロスバーを支持する軸受部に摺動耐摩耗性樹脂が表出されていることを特徴とするものである。
【００１５】
請求項４に記載された発明に係る壁紙糊付機は、請求項３に記載の摺動耐摩耗性樹脂が、ポリエチレン樹脂、ポリプロピレン樹脂、ＡＢＳ樹脂、ナイロン樹脂、スチロール樹脂、ポリアセタール樹脂、フッ素樹脂、ポリアミド樹脂、ポリフェニレンサルファイド樹脂、ポリアリレート樹脂、ポリエチレンナフタレート樹脂から選ばれたことを特徴とするものである。
【発明の効果】
【００１６】
本発明は以上説明した通り、長尺物を収納する際に邪魔にならず、更に、収納していることが一目で確認できるという効果がある。また、長尺物のうちクロス芯棒の摩耗を抑え、異音の発生も極力抑えることができるという効果がある。
【発明を実施するための最良の形態】
【００１７】
本発明においては、スリッターに前記クロスバー及びテンションバーを非使用時に保持するための保持機構を備えるものであるため、クロスバー及びテンションバーを始めとする長尺物を収納する際に邪魔にならず、更に、収納していることが一目で確認できる。
【００１８】
本発明の保持機構としては、前記クロスバー及びテンションバーをスリッターに保持させるものであればよい。具体的な態様としては、保持機構が、スリッターの長手方向に沿って前記バーの両端部を嵌合掛止する嵌合溝機構をスリッターの後面に備えたものが開示される。より具体的には、スリッターの後面側枠材にクロスバーやテンションバーを嵌合する断面がＣ字状の溝を備えた保持部材が挙げられる。
【００１９】
また、別の発明においては、クロスバーを支持する軸受部に摺動耐摩耗性樹脂が表出されているものであるため、クロス芯棒の摩耗を抑え、異音の発生も極力抑えることができる。
【００２０】
本発明の軸受部としては、摺動耐摩耗性樹脂が表出されていればよく、軸受部分を摺動耐摩耗性樹脂製としてもよく、軸受部に摺動耐摩耗性樹脂をコーティングしてもよい。具体的な態様としては、摺動耐摩耗性樹脂がポリエチレン樹脂、ポリプロピレン樹脂、ＡＢＳ樹脂、ナイロン樹脂、スチロール樹脂、ポリアセタール樹脂、フッ素樹脂、ポリアミド樹脂、ポリフェニレンサルファイド樹脂、ポリアリレート樹脂、ポリエチレンナフタレート樹脂から選ばれたものが挙げられる。
【実施例】
【００２１】
図１は本発明の壁紙糊付機の一実施例の要部の構成を示す側方透視図である。図２は図１の要部の背面図である。図１に示す通り、従来例の壁紙糊付機と同様に、本自動壁紙糊付機１は、糊を収容する糊桶４が設置される下部構体２と、この下部構体２に対して開閉可能に設置された上部構体３と、下部構体２を支持する脚部３１とから主に構成される。
【００２２】
下部構体２内には、シート状壁装材（以下、クロスと記す）Ｃを糊付機本体１内に後面側から引き入れて糊付ロール８へ送り出し取り込むための全幅の送り出しロール６と、糊桶４内の糊を糊付ロール８に転写する糊上げロール１３と、クロス裏面に糊を塗布する糊付ロール８と、この糊付ロール８に接して糊量を調節するドクターロール７と、クロスＣに適度な張力を与えて前部方向へ送り出す均しロール９とが互いにギアを介して連動可能にかつ所定間隔を持って平行に配列されるように糊桶４の側板又はこれと平行な軸受板に軸支されている。
【００２３】
一方、上部構体３内には、送り出しロール６と対になってピンチロールを構成する上側ピンチロール１０と、下部構体２内に配列されているロールとギアを介して連動されクロスＣに糊付機本体前部方向への送り出し張力を付与するためのドライブロール１２と、これら上側ピンチロール１０とドライブロール１２との間でクロスＣを上から押さえ込む押さえステー１１とが、互いに所定間隔で平行に配列されるように、それぞれ上部構体３の本体両側軸受フレームに軸支されている。
【００２４】
下部構体２の後面側には、クロスの両側縁部を裁断するオーバーカッター（上刃）２２とアンダーカッター（下刃）２３とを備えたスリッター２１が着脱可能に取り付けられている。図２に示す通り、このスリッター２１の側方の軸受板とともに枠材を構成するステーであって、オーバーカッター２２を覆うように配設されたオーバーステー２４の両端部にはスリッター２１の長手方向に沿ってクロスバーとしてのクロス芯棒３３及び第１テンションバ−３５ａ、第２テンションバ−３５ｂの両縁部を嵌合する断面がＣ字状の溝を備えた保持部材２５が配されている。この保持部材２５により、長尺物を収納する際に邪魔にならず、更に、収納していることが一目で確認できる。
【００２５】
図３は図１の壁紙糊付機脚部のクロス受けブラケットの構成を示す側方図である。図３に示す通り、下部構体２の両側縁部を支持する一対の脚部３１には、クロス芯棒３３に中心軸を通された原反ロール３４を支持するクロス受けブラケット３２が装着されている。このクロス受ブラケットの軸受部には、摺動耐摩耗性樹脂としてポリアセタール樹脂の軸受部３６が装着されている。この摺動耐摩耗性樹脂の軸受部３６により、クロス芯棒３３の摩耗を抑え、異音の発生も極力抑えることができる。
【図面の簡単な説明】
【００２６】
【図１】本発明の壁紙糊付機の一実施例の要部の構成を示す側方透視図である。
【図２】図１の要部の背面図である。
【図３】別の発明の壁紙糊付機の要部の構成を示す側方図である。
【図４】従来の壁紙糊付機の全体構成を示す側面透視図である。
【符号の説明】
【００２７】
１…自動壁紙糊付機、
２…下部構体、
３…上部構体、
４…糊桶、
６…送り出しロール、
７…ドクターロール、
８…糊付ロール、
９…均しロール
１０…上側ピンチロール、
１１…抑えステー、
１２…ドライブロール、
１３…糊上げロール、
２１…スリッター、
２２…オーバーカッター、
２３…アンダーカッター、
２４…オーバーステー、
２５…保持部材、
３１…脚部、
３２…クロス受けブラケット、
３３…クロス芯棒、
３４…原反ロール、
３５ａ…第１テンションバー、
３５ｂ…第２テンションバー、
３６…軸受部、
【図１】
2005066447.tif 000003
【図２】
2005066447.tif 000004
【図３】
2005066447.tif 000005
【図４】
2005066447.tif 000006